(57)【要約】【課題】  ネジを取り外す際にネジが落下することなく、しかも防犯性能の点からもすぐれた機器のネジ止め構造を得ること。【解決手段】  リヤカバー６をキャビネット１の内部からネジ止めして取付けるネジ止め構造であって、キャビネット１に、その開口面に対して通常は後方に傾斜しており前方に押圧したとき開口面とほぼ平行になる板バネ１３を取り付けると共に、この板バネ１３にネジ１９を取付け、さらにこのネジ１９に抜け止めワッシャ２０を配設する。【選択図】    図２
2004176929.tif 000002
【特許請求の範囲】
【請求項１】
カバーをキャビネットの内部からネジ止めして取付ける機器のネジ止め構造において、
前記キャビネットに板バネを取付け、
前記板バネにネジを取付けると共に該ネジに抜け止め部材を取付け、
前記ネジを前記カバー側に押圧して前記板バネを前記カバー側へ移動させ、移動させた状態で前記ネジにより前記キャビネットに前記カバーを取付けることを特徴とする機器のネジ止め構造。
【請求項２】
カバーをキャビネットの内部からネジ止めして取付ける機器のネジ止め構造において、
前記キャビネットに、その開口面に対して通常は後方に傾斜しており前方に押圧可能な板バネを取り付けると共に、該板バネにネジを取り付けさらに該ネジに抜け止めワッシャを取り付け、後方に傾斜している前記板バネを前記ネジを前方に押圧することによって前方に移動させ、この状態で前記ネジにより前記キャビネットに前記カバーを取付けるようにしたことを特徴とする機器のネジ止め構造。
【請求項３】
板バネを折曲面と固定面とからなるほぼく字状に形成すると共に、該折曲面と固定面に力を加えるとこれらの面がほぼ同一平面となり力を取り除くとこれらの面が元の位置に復帰するように構成し、前記折曲面がキャビネットの開口面に対して後方に傾斜するようにして前記固定面を前記キャビネットに取り付けたことを特徴とする請求項１記載の機器のネジ止め構造。
【請求項４】
折曲面の穴部にネジを挿通すると共に該ネジに抜け止めワッシャを取り付け、該ネジの頭部と抜け止めワッシャを前記折曲面を介して対向配置するようにしたことを特徴とする請求項２記載の機器のネジ止め構造。
【請求項５】
キャビネットの上部に開口面とほぼ平行に折り曲げた板バネ取付部を有する金具を取り付け、該板バネ取付部の裏側に板バネの固定面を取り付けたことを特徴とする請求項２又は３に記載の機器のネジ止め構造。
【発明の詳細な説明】
【技術分野】
【０００１】
本発明は、金融自動化機器等のネジ止め構造に係り、より詳しくは、金融自動化機器等のカバーを内部からネジで固定する際に固定用のネジが装置の内部に落下するのを防止するネジ止め構造に関するものである。
【背景技術】
【０００２】
従来、金融自動化機器等のカバーをキャビネットに取付ける際は、防犯のために装置の内部からネジで固定して、保守点検時にネジの取り外しを行っていた。しかし、カバーのネジ固定箇所が奥まった場所にある場合は、ネジを取り外す際にネジを装置の内部に落下させてしまうおそれがあった。ネジが落下すると、装置の内部の機構部が動作不良を起こしたり、印刷回路板にショート等が生ずる原因となる。
このため、カバーに取付けたハット材にネジを取り付け、キャビネットにひょうたん穴を設けたＬ型金具を取付けて、カバーに取付けたネジの頭部をキャビネットのＬ型金具のひょうたん穴に入れ、キャビネットを下方向に移動させてネジ部がひょうたん穴の溝に入り込んだところで、ネジを締め込み、キャビネットをカバーに固定していた。
なおネジが落下しないようにしたネジ止め構造としては、例えば実願昭５８−１２７９３４号（実開昭６０−３５９１３号）のマイクロフィルムに開示されるものがあるが、これは角パイプ等より構成した展示台や棚等を締結する用途に限定され、カバーをキャビネットに取付ける用途には適さない。
【０００３】
【特許文献１】実願昭５８−１２７９３４号（実開昭６０−３５９１３号）のマイクロフィルム
【発明の開示】
【発明が解決しようとする課題】
【０００４】
上記のように構成した固定方向では、カバーをネジの締め付けトルクのみでキャビネットに固定することになるため、カバーの下側から上側に向けて外力を加えるとカバーが上側にずれ上がってしまい、普通に固定した場合に比べて外れやすく、金融自動化機器等の防犯性能の点からすると問題があった。
本発明は上記のような課題を解決するためになされたもので、ネジを取り外す際にネジが装置内に落下することなく、しかも防犯性能の点からもすぐれた機器のネジ止め構造を得ることを目的とする。
【課題を解決するための手段】
【０００５】
本発明にかかる機器のネジ止め構造は、次のように構成したものである。
（１）  カバーをキャビネットの内部からネジ止めして取付ける機器のネジ止め構造であって、キャビネットに板バネを取付け、板バネにネジを取付けると共に該ネジに抜け止め部材を取付け、ネジをカバー側に押圧して板バネをカバー側へ移動させ、移動させた状態でネジによりキャビネットにカバーを取付ける。
（２）  また、キャビネットに、その開口面に対して通常は後方に傾斜しており前方に押圧可能な板バネを取り付けると共に、この板バネにネジを取り付けさらにこのネジに抜け止め部材を取り付け、後方に傾斜している板バネをネジを前方に押圧することによって前方に移動させ、この状態でネジによりキャビネットにカバーを取付けるようにする。
（３）  上記（２）の板バネを折曲面と固定面とからなるほぼく字状に形成すると共に、折曲面と固定面に力を加えるとこれらの面がほぼ同一平面となり力を取り除くとこれらの面が元の位置に復帰するように構成し、折曲面がキャビネットの開口面に対して後方に傾斜するようにして固定面をキャビネットに取り付ける。
（４）  上記（３）の折曲面の穴部にネジを挿通すると共にこのネジに抜け止めワッシャを取付け、ネジの頭部と抜け止めワッシャを板バネの折曲面を介して対向配置する。
（５）  上記（３）または（４）のキャビネットの上部に開口面とほぼ平行に折り曲げた板バネ取付部を有する金具を取り付け、板バネ取付部の裏側に板バネの固定面を取り付ける。
【発明の効果】
【０００６】
本発明は、キャビネットに板バネを取付け、板バネにネジを取付けると共に該ネジに抜け止め部材を取付け、ネジをカバー側に押圧して板バネをカバー側へ移動させ、移動させた状態でネジによりキャビネットにカバーを取付ける。そのため本発明は、防犯性能の観点からすぐれていると共に、カバーの取り付け取り外しをする際にネジが機器内に落下することがない。
【発明を実施するための最良の形態】
【０００７】
図１は本発明の一実施の形態の斜視図、図２はその分解斜視図、図３は図１の縦断面図、図４は図１の平断面図である。１は金融自動化機器のキャビネットで、上面２、底面３、側面４，（４）、前面５等からなり、内部に空間部を有して、後面の開口部には断面ほぼコ字状のリアカバー６がネジによって取りはずし自在に取付けられている。７はキャビネット１の開口部の周囲の上面２、底面３、側面４，（４）を開口面に平行に折り曲げて形成したキャビネット立上がり部、８はリアカバー６の外周面６ａの端部を後面板６ｂに対して平行になるように折り曲げて形成したリアカバー立上がり部である。なお、９はキャビネット１の底部に設けられた脚部である。
１０，１０はキャビネット１の上面２の内側で開口部の左右にその一部を開口部から突出させて取付けたＬ型金具で、後端部をさらにＬ字状に折り曲げて固定部１０ａを形成してこれをキャビネット立上がり部７の内側に固定し、下方に折り曲げた先端部を開口面とほぼ平行にして板バネ取付部１０ｂを形成したもので、この板バネ取付部１０ｂにはネジ穴１１とそれよりも外側（側面４側）に位置する丸穴１２とが設けてあり、立上がり部７から外方に突出して取付けられている。
１３はほぼく字状に折り曲げられた板バネで、折曲面１４と固定面１５とからなり、折曲面１４に力を加えて折り曲げると折曲面１４は固定面１５とほぼ同一平面に変形され、力を取り除くと折曲面１４は当初の位置に回復してほぼく字状に戻るようになっている。１６は板バネ１３の固定面１５に設けた第１の丸穴、１７は板バネ１３の折曲面１４に設けた第２の丸孔である。
そして、板バネ１３はその固定面１５をＬ型金具１０の板バネ取付部１０ｂの裏側に当接し、固定面１５の第１の丸穴１６を板バネ取付部１０ｂのネジ穴１１に整合させて配設し、第１のネジ１８によって板バネ１３をＬ型金具１０に固定する。これにより、図４に示すように、板バネ１３の折曲面１４がキャビネット１の後方に傾斜するようにして取付けられ、折曲面１４を前方向（図４のＣ方向）に押して固定面１５とほぼ同一面になるようにしたときに、折曲面１４に設けた第２の丸孔１７が板バネ取付部１０ｂの丸穴１２に重なるようにしてある。
【０００８】
１９は板バネ１３の折曲面１４の第２の丸孔１７に差し込んだ第２のネジである。２０は折曲面１４を介して第２のネジ１９の頭部と反対側に配設されたナイロン製の抜止めワッシャで、中央部付近に＋型の穴部２１が形成され、この穴部２１が第２のネジ１９のねじ山に引っ掛かかっていて、第２のネジ１９が板バネ１３から落下するのを防止するようになっている。
こうして、リヤカバー６を取付ける前は、第２のネジ１９の先端はＬ型金具１０の板バネ取付部１０ｂの丸穴１２の中に入り込まない構造になっており、リヤカバー６を取付けるときに、折曲面１４を前方向に押して、折曲面１４の第２の丸孔１７が板バネ取付部１０ｂの丸穴１２の位置に重なり、これらの穴１７，１２を通して第２のネジ１９が貫通するようにしてある。
２２，２２はリヤカバー６の後面板６ｂの内側の上側左右に取付けられた凸状のハット材で、コ字状の各突設部２２ａ，２２ａのほぼ中央部に第２のネジ１９，１９が螺合するネジ穴２３，２３が設けてある。２４はリヤカバー６の後面板６ｂの内側の下側ほぼ中央に取付けられたＺ型係止金具で、その端部にはキャビネット立上がり部７に引っ掛けてリヤカバー６の下端部をキャビネット１に係止させる係止部２４ａが設けてある。
上記のように構成した一実施の形態の作用を図３〜図８によって説明する。リヤカバー６をキャビネット１に取付けるには、図３に示すように、リヤカバー６を上方からＢ方向に移動してＺ型金具２４の係止部２４ａをキャビネット１の下側のキャビネット立上がり部７に引っ掛けて係止させ、次に、この係止状態のままリヤカバー６の上部をＣ方向に移動させてキャビネット１に当接させる。このとき、リヤカバー６のリヤカバー立ち上がり部８とキャビネット１のキャビネット立上がり部７とが当接した状態になる。
そして、図４に示すように、装置の内部からドライバ２５で第２のネジ１９の頭部を押すと、板バネ１３の折曲面１４がＣ方向に移動して、第２のネジ部１９の先端がＬ型金具１０の板バネ取付部１０ｂの丸穴１２を通過し、リヤカバー６に設けたハット材２２のネジ穴２３に当接する。こうして、図５に示すように、ドライバ２５により第２のネジ１９をネジ穴２３に螺合させて、リヤカバー６の取り付けを完了する。このとき、抜け止めワッシャ２０は、板バネ１３の折曲面１４とＬ型金具１０の板バネ取付部１０ｂとの間に位置している。
【０００９】
次に、リヤカバー６をキャビネット１から取り外すには、図６に示すように、ドライバー２５により第２のネジ１９を先と逆方向に回転させて、板バネ１３に取付けた第２のネジ１９をＤ方向に移動させる。こうすると、第２のネジ１９はハット材２２のネジ穴２３から外れ、同時に、板バネ１３の反力によって、図７に示すように、板バネ１３の折曲面１４が後方に後退する。
このため、第２のネジ１９が板バネ取付部１０ｂの丸穴１２のエリアから後退するが、第２のネジ１９には抜止めワッシャ２０が取付けられており、この穴部２１に第２のネジ１９のネジ山が引っ掛かかっているので、第２のネジ１９が落下することはない。そして、図８に示すように、リアカバー６の上部をＥ方向に移動させて外側に開き、次にＦ方向に移動してＺ型金具２４の係止部２４ａとキャビネット１のキャビネット立上がり部７との係止を解除し、リアカバー６をキャビネット１から取り外す。
上記の実施の形態によれば、第２のネジ１９に抜け止めワッシャ２０を取付けて装置の内部からリアカバー６をネジ止めするようにしたので、防犯性能がすぐれていると共に、リヤカバー６の取り付け取り外しの際に第２のネジ１９を装置内部に落とすこともない。
上記の説明では、本発明を金融自動化機器に実施した場合を示したが、本発明はこれに限定するものではなく、他の機器にも実施することができる。
【図面の簡単な説明】
【００１０】
【図１】本発明の一実施の形態の外観斜視図である。
【図２】図１の分解斜視図である。
【図３】図１の作用説明図である。
【図４】図１の作用説明図である。
【図５】図１の作用説明図である。
【図６】図１の作用説明図である。
【図７】図１の作用説明図である。
【図８】図１の作用説明図である。
【符号の説明】
【００１１】
１  キャビネット
６  リヤカバー
１０  Ｌ型金具
１０ｂ  板バネ取付部
１１、２３  ネジ穴
１２  丸穴
１３  板バネ
１４  折曲面
１５  固定面
１６、１７  丸穴
１８  第１のネジ
１９  第２のネジ
２０  抜け止めワッシャ
２２  ハット材
【図１】
2004176929.tif 000003
【図２】
2004176929.tif 000004
【図３】
2004176929.tif 000005
【図４】
2004176929.tif 000006
【図５】
2004176929.tif 000007
【図６】
2004176929.tif 000008
【図７】
2004176929.tif 000009
【図８】
2004176929.tif 000010